(57)【要約】【課題】携帯情報端末よりページ入れ換え等の編集の指定を行える画像形成装置を提供する。（デジタイザーとして利用する。）【解決手段】入力された画像データを画像処理し、転写紙上にプリント画像を形成する画像形成装置において、画像編集指示データ及び画像編集領域データを入力する携帯情報端末と、携帯情報端末とのデータ通信を行うデータ通信手段と、出力された転写紙を製本する製本手段と、前記携帯情報端末から前記データ通信手段を経て入力された画像編集指示データ及び画像編集領域データに従って、画像編集処理を行い画像形成すると共に前記製本手段によって製本を行うモードとを有することを特徴とする画像形成装置。【選択図】        図１
2004188773.tif 000002
【特許請求の範囲】
【請求項１】
入力された画像データを画像処理し、転写紙上にプリント画像を形成する画像形成装置において、
画像編集指示データ及び画像編集領域データを入力する携帯情報端末と、
携帯情報端末とのデータ通信を行うデータ通信手段と、
出力された転写紙を製本する製本手段と、
前記携帯情報端末から前記データ通信手段を経て入力された画像編集指示データ及び画像編集領域データに従って、画像編集処理を行い画像形成すると共に前記製本手段によって製本を行うモードとを有することを特徴とする画像形成装置。
【請求項２】
請求項１の画像形成装置において、前記データ通信手段から入力された画像編集指示データ及び画像編集領域データに従って画像領域をトリミングする手段を有し、前記トリミング手段によりトリミングされた画像データを画像形成することを特徴とする。
【請求項３】
請求項１の画像形成装置において、前記データ通信手段から入力された画像編集指示データに従ってページ順を入れ替える手段を有し、前記ページ入れ換え手段によりページ順を入れ替えられたデータを画像形成することを特徴とする。
【発明の詳細な説明】
【０００１】
【発明の属する技術分野】
本発明はデジタル複写機やプリンタ等のデジタルデータを画像編集し画像形成する画像形成装置に関するものである。
【０００２】
【従来の技術】
従来、この様な画像形成装置においては、外部の端末装置から入力されたデータを画像編集し画像形成出力する場合、本体側の操作部又は画像編集用に接続された編集領域指示手段に従って画像データの編集処理を行い画像形成し、出力している。
【０００３】
【発明が解決しようとする課題】
しかしながら、従来では本体側の編集指示手段により画像データの編集処理を行い画像形成しているために、例えば携帯情報端末上で作成した文書データのページ順を入れ換えたり、必要な部分をトリミングして出力する等、画像編集をして出力したい場合、いちいち本体側の編集指示手段により編集指示を行わなければならないという問題がある。また、外部の携帯端末上で画像編集処理を指示する手段を有するものがない。
【０００４】
【課題を解決するための手段】
本発明は、上記課題を解決するために、入力された画像データを画像処理し、転写紙上にプリント画像を形成する画像形成装置において、画像編集指示データ及び画像編集領域データを入力する携帯情報端末と、携帯情報端末とのデータ通信を行うデータ通信手段と、出力された転写紙を製本する製本手段と、前記携帯情報端末から前記データ通信手段を経て入力された画像編集指示データ及び画像編集領域データに従って、画像編集処理を行い画像形成すると共に前記製本手段によって製本を行うモードとを有することによって前記の問題点を解決しようとするものである。
【０００５】
【発明の実施の形態】
以下に、図面を参照して本発明の実施例を説明する。
【０００６】
図１はこの発明の一実施例を示す画像形成装置の構成を説明する断面図である。１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４は給紙ユニットであり、各給紙ローラ１２１、１２３、１２５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、後処理装置であるフィニッシャー１３２または中間トレイ１３７の配置方向のいずれかに制御する。フィニッシャー１３２に排紙された用紙は、中折り、Ｚ折り、表紙インサートが可能であり、コントローラ部１３９からの指示により１４１のステイプル部でステイプルを行う。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【０００７】
１３９のコントローラ部には後述するマイクロコンピュータ、画像処理部等を備えており、操作パネル１４０からの指示に従って、前述の画像形成動作を行う。また、コントローラ部１３９は携帯端末１４３とのインターフェースを持っており、携帯端末１４３とデータの送受信を制御する。
【０００８】
図２は本発明の画像形成装置におけるコントローラ部１３９のブロック図である。
【０００９】
２０１は画像形成装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスは２０２のバスドライバー回路、アドレスデコーダ回路をへて各負荷に接続されている。また、２０４は入力データの記憶や作業用記憶領域等として用いる主記憶装置であるところのランダムアクセスメモリ（ＲＡＭ）である。２０５はＩ／Ｏインターフェースであり、操作者がキー入力を行い、装置の状態等を液晶、ＬＥＤを用いて表示する１４０の操作パネルや給紙系、搬送系、光学系の駆動を行うモーター類２０７、クラッチ類２０８、ソレノイド類２０９、また、搬送される用紙を検知するための紙検知センサ類２１０等の装置の各負荷に接続される。現像器１１８には現像器内のトナー量を検知する２１１のトナー残検センサが配置されており、その出力信号がＩ／Ｏポート２０５に入力される。２１５は高圧ユニットであり、ＣＰＵの指示に従って、前述の１次帯電器１１３、現像器１１８、転写前帯電器１１９、転写帯電器１２７、分離帯電器１２８へ高圧を出力する。
【００１０】
２０６は画像処理部であり、ＣＣＤユニット１０６から出力された画像信号が入力され、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの２１３のビーム検知センサによって発光状態が検知され、その出力信号がＩ／Ｏポート２０５に入力される。２０７は携帯端末１４３とのデータ通信を制御する通信制御部であり、ＣＰＵ２０１のバスに接続される。ＣＰＵ２０１はこの通信制御部２０７を介して、携帯端末１４３とデータ通信を行う。このＩ／Ｆは例えばＵＳＢ等のシリアルＩ／Ｆを用いる。
【００１１】
図３は本発明の画像形成装置におけるコントローラ部１３９内の画像処理部２０６のブロック図である。
【００１２】
ＣＣＤ１０８により電気信号に変換された画像信号は、まずシェーディング回路３０１によって画素間のばらつきの補正を行った後、３０２の変倍回路において、縮小コピー時はデータの間引き処理を行い、拡大コピー時はデータの補間を行う。次に、３０３のエッジ強調回路において、例えば５×５のウインドウで２次微分を行い、画像のエッジを強調する。この画像データは輝度データであるのでプリンターに出力するための濃度データに変換するため３０４のγ変換回路でテーブルサーチによりデータ変換を行う。濃度データに変換された画像データは３０５の２値化処理部へ入力される。ここでは例えばＥＤ法により多値データを２値データに変換する。２値に変換された画像データは３０７のページメモリに入力される。ページメモリ３０７は、例えばＤＲＡＭにより構成され、入力される画像データを格納し、複数ページ分の画像データを格納することができる。このページメモリ３０７に対するリードライト制御はメモリ制御部３１０で行う。また、メモリ制御部３０９は前述のＣＰＵ２０１のバスに接続され、ＣＰＵ２０１からページメモリ３０７にデータを読み書きすることができる。このページメモリ３０７では、携帯端末１４３から通信制御部２０７を介して送られてくる画像編集指示信号及び画像編集領域信号を基に、ＣＰＵ２０１によりメモリ制御部３１０を介して読み書き制御を行うことにより、ページ順の入れ換えや、トリミング及びマスキング処理、更には、移動、変倍やイメージリピート、縮小レイアウト等の処理を行う。編集部３０８は入力される画像データに対し、携帯端末１４３から通信制御部２０７を介して送られてくる画像編集指示信号及び画像編集領域信号に従って、網掛け、影付け、色編集等の画像編集処理を行う。これらの画像データはレーザーの発光強度の信号に変換するためＰＷＭ回路３０９へ入力され、画像の濃度に従ったパルス幅をレーザーユニットに対して出力する。
【００１３】
次に、図４を用いて本発明の画像形成装置を携帯端末１４３により操作する際に表示される携帯端末１４３の操作パネルについて説明する。
【００１４】
図４は本発明における携帯端末１４３と、携帯端末１４３の操作パネルに表示される画像形成装置の操作モードにおける基本画面を示している。
【００１５】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザーごとに行える。１００４は応用ズームキーであり、原稿のＸ方向、Ｙ方向を独立に変倍するモード、原稿のサイズと複写サイズから変倍率を計算するズームプログラムのモードに入る。１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。１０１０はソーターキーであり、ソーターのソート、グループ等のモード設定を行う。１０１１は原稿混載キーであり、原稿フィーダーにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。１０２１はＨｉＦｉキーであり、写真原稿のように中間調の濃度が多い原稿の複写の際に押す。１０２２は文字強調キーであり、文字原稿の複写で文字を際立たせたい場合に押す。１０２３はガイドキーであり、キーの機能が解らないとき押すとそのキーの説明が表示される。１０２４はコピーモードキーであり、複写を行うときに押す。１０２５はファクスキーであり、ファクスを行うときに押す。１０２６はファイルキーであり、ファイルデータを出力したいときに押す。１０２７はプリンターキーであり、コンピュータ等の外部装置からの画像データをプリント出力したいときに押す。１０２８は携帯端末文書印刷キーであり、携帯端末１４３を接続し、携帯端末１４３の内部メモリに格納されている文書データを出力紙に印刷する場合に押す。１４４は携帯端末１４３付属の操作指示ペンであり、操作指示ペン１４４で操作パネル内に表示されるキーを押下することで携帯端末１４３の各種操作指示を行うものである。
【００１６】
図５は図４における携帯端末文書印刷キー１０２８を押した時に操作パネルに表示される画面である。図４の基本画面の状態で携帯端末文書印刷キー１０２８を押すと、図５に示すように携帯端末文書印刷モードの詳細設定画面が表示され、ページ入れ換えキー１０２９と製本キー１０３０が表示される。ページ入れ換えキー１０２９は携帯端末１４３の内部メモリに携帯端末文書データのページ排紙順を入れ換える時に押す。一方、製本キー１０３０はスケジュール帳データの印刷された出力紙を後処理装置１３２により、ステイプル止め等の製本処理を行う時に押す。
【００１７】
図６は図５におけるページ入れ換えキー１０２９を押した時に操作パネルに表示される画面である。図５の携帯端末文書印刷モードの詳細設定画面の状態でページ入れ換えキー１０２９を押すと、図６に示すようにページ入れ換えモードの詳細設定画面が表示され、取り消しキー１０３１と決定キー１０３２、及びページ順を入れ換えたい文書が左から順にページ順に表示される。ここで、排紙する順番に操作指示ペン１４４で文書アイコンを順に押下していくことでページ順を決定していく。入れ換え後のページ順は操作指示ペン１４４で押下する毎に図６中の下図の通り表示される。始めからやり直したい場合は取り消しキー１０３１を押し、指示したページ順で良い場合は決定キー１０３２を押す。
【００１８】
次に、図７のフローチャートを用いて本発明の画像形成装置の詳細な動作について説明する。
【００１９】
まず、ステップＳ１で操作パネル上の携帯端末文書印刷キー１０２８がＯＮしたかどうかを判断する。ＯＮされてなければそのまま終了する。ＯＮされたと判断したら、ステップＳ２で接続されている携帯端末１４３から通信制御部２０７を介してＣＰＵ２０１が携帯端末文書データを受信する。次にステップＳ３で操作パネル上のページ入れ換えキー１０２９が押されていたかどうかを判断し、押されていると判断したら、ステップＳ４でページ入れ換え詳細設定画面へと移行し、ページ順の入れ換え操作を行う。
【００２０】
ステップＳ４でページ順の入れ換え操作が終わると、次にステップＳ５で受信データを入れ換えたページの順番でビットマップに変換して、順番にページメモリ３０７内に格納する。次に、ステップＳ６で操作パネル１４０上の製本キー１０３０が押されているかどうかを判断し、押されていなければステップＳ７でページメモリ３０７内の画像データを出力紙に印刷する。また、ステップＳ６で製本キー１０３０が押されていると判断した場合は、ステップＳ８で画像用メモリ３１０内の画像データを出力紙に印刷した後、ステップＳ９でステイプル止め等の製本動作を行う。図８はページ入れ換えキー１０２９、製本キー１０３０を押さなかった時の出力例であり、第図はページ入れ換えキー１０２９、製本キー１０３０を押した時の出力例である。
【００２１】
次に、本発明の画像形成装置において携帯端末１４３によりトリミング処理を行う際の詳細な動作について説明する。
【００２２】
図１０は図４における画像モードキー１００２を押した時に操作パネルに表示される画面である。図４の基本画面の状態で画像モードキー１００２を押すと、図１０に示すように画像モード詳細設定画面が表示され、網掛けキー１０３３、影付けキー１０３４、トリミングキー１０３５、マスキングキー１０３６が表示される。網掛けキー１０３３、影付けキー１０３４、トリミングキー１０３５、マスキングキー１０３６の各キーは、携帯端末１４３もしくは本体側操作パネル１４０から指示された領域もしくは画像対象に対して、それぞれ網掛け、影付け、トリミング、マスキング処理を行う際に押す。
【００２３】
図１１は図１０においてトリミングキー１０３５を押した時に操作パネルに表示される画面である。図１０の画像モード詳細設定画面の状態でトリミングキー１０３５を押すと、図１１に示すようにトリミング詳細設定画面が表示され、取り消しキー１０３７と決定キー１０３８、トリミングを行う画像のプレビュー画像を含むトリミング領域指示画面が表示される。ここで、操作指示ペン１４４で図中の点線の枠で表示されるトリミング領域を操作することで出力するトリミング画像猟奇を決定していく。始めからやり直したい場合は取り消しキー１０３７を押し、指示したトリミング領域で良い場合は決定キー１０３８を押す。
【００２４】
次に、図１２のフローチャートを用いて本発明の画像形成装置の詳細な動作について説明する。
【００２５】
まず、ステップＳ１で操作パネル上の画像モードキー１００２がＯＮしたかどうかを判断する。ＯＮされてなければそのまま終了する。ＯＮされたと判断したら、ステップＳ２で接続されている携帯端末１４３から通信制御部２０７を介してＣＰＵ２０１が携帯端末文書データを受信する。次にステップＳ３で操作パネル上のトリミングキー１０３５が押されていたかどうかを判断し、押されていると判断したら、ステップＳ４でトリミング詳細設定画面へと移行し、トリミング領域の指定操作を行う。
【００２６】
ステップＳ４でトリミング領域の指定操作が終わると、次にステップＳ５で受信データをトリミング指定された領域についてのみビットマップに変換して、ページメモリ３０７内に格納する。次に、ステップＳ６でトリミング処理された画像データを出力紙に印刷する。図１３はトリミングキー１０３５を押した時の出力例である。
【００２７】
以上、本実施例においては携帯端末上でのページ入れ換え、及びトリミング処理の画像編集処理について例を挙げて記載したが、その他にも色編集処理や、領域別編集処理など様々な画像編集処理が本発明の画像形成装置において実現できることは言うまでも無い。
【００２８】
【発明の効果】
以上、説明したように本発明では携帯端末により携帯端末上で作成した文書を画像形成装置で出力する際に、ページ入れ換えや、トリミング処理といった画像編集処理の指示を行うことができるので、オペレータがわざわざ本体側の操作部により画像編集処理の指示を行いにいく手間が省け、従来に比べて使用者にとって、とても使いやすい画像形成装置を提供する事が可能となる。
【図面の簡単な説明】
【図１】本発明の実施例を示す画像形成装置の構成を説明する断面図。
【図２】本発明の画像形成装置におけるコントローラ部１３９のブロック図。
【図３】本発明の画像形成装置におけるコントローラ部１３９内の画像処理部２０６のブロック図。
【図４】本発明の画像形成装置における携帯端末１４３の操作パネルの表示例を示した図。
【図５】本発明の画像形成装置におけるページ入れ換えを行う際に表示される、携帯端末１４３の操作パネルの表示例を示した図。
【図６】本発明の画像形成装置におけるページ入れ換えを行う際に表示される、携帯端末１４３の操作パネルの表示例を示した図。
【図７】本発明の画像形成装置のページ入れ換えの詳細な動作を示したフローチャート。
【図８】本発明のページ入れ換えを行う際の出力を示す説明図である。
【図９】本発明のページ入れ換えを行う際の出力を示す説明図である。
【図１０】本発明の画像形成装置におけるトリミングを行う際に表示される、携帯端末１４３の操作パネルの表示例を示した図。
【図１１】本発明の画像形成装置におけるトリミングを行う際に表示される、携帯端末１４３の操作パネルの表示例を示した図。
【図１２】本発明の画像形成装置のトリミングの詳細な動作を示したフローチャート。
【図１３】本発明のトリミングを行う際の出力を示す説明図である。
【図１】
2004188773.tif 000003
【図２】
2004188773.tif 000004
【図３】
2004188773.tif 000005
【図４】
2004188773.tif 000006
【図５】
2004188773.tif 000007
【図６】
2004188773.tif 000008
【図７】
2004188773.tif 000009
【図８】
2004188773.tif 000010
【図９】
2004188773.tif 000011
【図１０】
2004188773.tif 000012
【図１１】
2004188773.tif 000013
【図１２】
2004188773.tif 000014
【図１３】
2004188773.tif 000015